(57)【要約】【課題】認証時の履歴データを簡易な構成により登録先相手のみに通知する。【解決手段】履歴データ通知システム１は、鍵データが記憶された移動端末２と、移動端末２との間の近距離通信により取得した鍵データを認証する認証装置３とを備える。移動端末２は、鍵データの認証時における履歴データを、メールサーバ４を介して予め登録された宛て先の通知対象機器５にメール送信する。【選択図】図１
2015149608.tif 000002
【特許請求の範囲】
【請求項１】
認証情報が記憶された移動端末と、
前記移動端末との間の近距離通信により該移動端末から取得した認証情報の認証を行う認証装置とを備え、
前記移動端末は、前記認証情報の認証時における履歴データを、メールにより予め登録された宛て先の通知対象機器に送信することを特徴とする履歴データ通知システム。
【発明の詳細な説明】
【技術分野】
【０００１】
本発明は、例えば携帯電話やスマートフォンなどの移動端末を認証媒体として使用し、移動端末の認証が行われた際の履歴データを登録先相手に通知することができる履歴データ通知システムに関するものである。
【背景技術】
【０００２】
例えばオフィスビルや集合住宅などのエントランスや玄関には、例えば携帯電話や携帯型の無線リモコンキー、磁気カードや非接触型ＩＣカードなどの各種ＩＤキーに記憶された施解錠情報の認証を行い、施解錠情報を正常認証したときに電気錠を解錠又は施錠する電気錠システムが採用されている。
【０００３】
この種の電気錠システムでは、室外から電気錠の解錠又は施錠を行う場合、各種ＩＤキーからの施解錠情報が電気錠の施解錠を許可する情報であるか否かを制御部が判別し、施解錠を許可して良い情報と判別したときにモータなどの駆動手段を駆動させ、扉枠の係止穴に対してデッドボルトを引き込み又は突出することにより、電気錠の解錠又は施錠を行っている。
【０００４】
ところで、この種の電気錠システムでは、外出時に個別ＩＤキー毎に設定登録された通知先へ外出したことを通知する機能が要望されている。この要望に答えた外出通知システムとしては、下記特許文献１に開示されるものが提案されている。
【０００５】
特許文献１に開示される外出通知システムでは、個別ＩＤキーを用いて電気錠の施解錠を行う際に、電気錠装置が個別ＩＤキーから利用者を識別するための個別ＩＤと施解錠情報とを読み取り、読み取った施解錠情報を正常認証したときのみ現在の錠前の施解錠状態、扉の開閉状態に応じて電気錠を電気的に施解錠制御し、外出により電気錠が施錠された時には、個別ＩＤキーから読み取った個別ＩＤと施錠時間を含む外出情報をサーバに出力する。サーバは、電気錠装置から外出情報が入力されると、この外出情報の個別ＩＤに対応する通知先情報を検索し、検索された通知先情報に基づく通知対象物に外出情報を通知する。
【先行技術文献】
【特許文献】
【０００６】
【特許文献１】特開２００９−２０１７号公報
【発明の概要】
【発明が解決しようとする課題】
【０００７】
しかしながら、上述した特許文献１に開示される外出通知システムでは、サーバに対して履歴データを送信しており、電気錠装置がサーバとネットワーク接続される必要があった。このため、電気錠装置とサーバとの間で通信を行うためのプロバイダとの契約が必要不可欠なだけでなく、履歴データの閲覧にも専用のアプリケーションが必要であり、サーバの維持管理にもコストがかかるという問題があった。また、電気錠装置とサーバとの間が有線の場合には配線工事が必要であり、無線の場合は無線化するための機器が必要であった。さらに、電気錠装置とサーバとの間で正常に通信を行うためのセットアップ者によるセットアップ作業が煩雑であった。
【０００８】
そこで、本発明は上記問題点に鑑みてなされたものであり、認証情報の認証時における履歴データを簡易な構成により登録先相手のみに通知することができる履歴データ通知システムを提供することを目的とするものである。
【課題を解決するための手段】
【０００９】
上記した目的を達成するために、請求項１に記載された履歴データ通知システムは、認証情報が記憶された移動端末と、
前記移動端末との間の近距離通信により該移動端末から取得した認証情報の認証を行う認証装置とを備え、
前記移動端末は、前記認証情報の認証時における履歴データを、メールにより予め登録された宛て先の通知対象機器に送信することを特徴とする。
【発明の効果】
【００１０】
本発明によれば、従来のような鍵配信サーバの維持管理が不要となり、専用のアプリケーションを用いず、標準的なメール（電子メール、ＳＭＳなど）を用いて認証情報の認証時における履歴データを通知対象機器に送信し、通知対象機器で履歴データを閲覧することが可能となり、簡易な構成によってシステムを構築することができる。
【図面の簡単な説明】
【００１１】
【図１】本発明に係る履歴データ通知システムの全体構成を示すブロック図である。
【図２】本発明に係る履歴データ通知システムの鍵データ認証時の処理の流れを示すフローチャート図である。
【発明を実施するための形態】
【００１２】
以下、本発明を実施するための形態について、添付した図面を参照しながら詳細に説明する。
【００１３】
本発明に係る履歴データ通知システムは、認証情報（鍵データ）の認証時における履歴データを登録宛て先にメール送信により通知する機能を有している。
【００１４】
図１に示すように、履歴データ通知システム１は、移動端末２、認証装置３、メールサーバ４、通知対象機器５を備えて構築される。
【００１５】
移動端末２は、例えば携帯電話、スマートフォンなどの通信機能を有する端末からなり、記憶部２ａ、通信部２ｂ、制御部２ｃを含む構成である。
【００１６】
記憶部２ａは、例えばＥＥＰＲＯＭやフラッシュメモリ等の不揮発性メモリやＤＲＡＭやＳＤＲＡＭ等の揮発性メモリを含む各種半導体メモリで構成される。記憶部２ａは、例えば不図示の鍵配信サーバから事前に配信される認証情報を記憶している。認証情報は、認証装置３が認証に使用する情報である。本例では、電気錠３ｃを解錠又は施錠するための鍵データを認証情報として説明する。
【００１７】
また、記憶部２ａは、移動端末２と認証装置３との間で近距離無線通信により鍵データの認証処理を行った時の履歴データを送信する通知対象機器５の宛て先（メールアドレス、電話番号）を記憶している。履歴データは、例えば鍵データの認証が行われた時刻、鍵データの認証結果、電気錠３ｃの施解錠状態や扉の開閉状態に基づく帰宅時刻や外出時刻などの情報からなる。
【００１８】
さらに、記憶部２ａは、予めインストールされる認証用アプリケーションを記憶している。認証用アプリケーションは、認証装置３が認証に使用する鍵データの受信及び記憶部２ａへの記憶、認証装置３からの鍵データ要求指令に対する鍵データの送信、通知対象機器５への鍵データ認証時の履歴データの送信、履歴データを送信する通知対象機器５の宛て先の登録・抹消・変更、鍵データを用いた認証装置３の解錠制御又は施錠制御を制御部２ｃに実行させるためのプログラムからなる。
【００１９】
通信部２ｂは、制御部２ｃの制御により、移動端末２と認証装置３との間で相互に近距離無線通信による情報のやり取りを行っている。また、通信部２ｂは、制御部２ｃの制御により、移動端末２とメールサーバ４との間で無線通信による情報のやり取りを行っている。
【００２０】
制御部２ｃは、例えばＣＰＵ（Central Processing Unit ）やＲＯＭ（Read Only Memory），ＲＡＭ（Random Access Memory）等のプロセッサで構成され、記憶部２ａ、通信部２ｂ、操作表示部２ｃを統括制御している。さらに制御内容について説明すると、制御部２ｃは、認証装置３から鍵データ要求指令を受信するように通信部２ｂを制御している。制御部２ｃは、鍵データ要求指令を受信したときに認証用アプリケーションを起動している。制御部２ｃは、起動した認証用アプリケーションにより、認証装置３に鍵データを送信するとともにメールサーバ４を介して通知対象機器５に履歴データを送信するように通信部２ｂを制御している。
【００２１】
認証装置３は、鍵データの認証結果に基づき、例えば錠前を電気的に施解錠制御する電気錠システムやゲートの開閉を電気的に制御してゲートの出入を管理する出入管理装置などで構成される。ここでは、電気錠システムを認証装置３とした場合を例にとって説明する。
【００２２】
認証装置３としての電気錠システムは、記憶部３ａ、通信部３ｂ、電気錠３ｃ、制御部３ｄを含む構成からなり、特に図示はしないが、電気錠３ｃの施解錠状態や扉の開閉状態を検知する周知の検知手段を備えている。
【００２３】
記憶部３ａは、例えばＥＥＰＲＯＭやフラッシュメモリ等の不揮発性メモリやＤＲＡＭやＳＤＲＡＭ等の揮発性メモリを含む各種半導体メモリ、ＨＤＤ等の各種記憶装置で構成される。記憶部３ａは、通信部３ｂが移動端末２から取得した鍵データの認証を行うための照合用鍵データを記憶している。この照合用鍵データは、例えば認証装置３を特定する製造番号などからなり、電気錠３ｃの解錠・施錠の許可権限を付与するために必要不可欠なデータである。
【００２４】
通信部３ｂは、制御部３ｄの制御により、認証装置３と移動端末２との間で相互に近距離無線通信による情報のやり取りを行っている。
【００２５】
電気錠３ｃは、制御部３ｄの制御により、例えばモーターやソレノイド等の駆動手段への通電を制御し、駆動手段に連結されるデッドボルトを扉枠の係合穴に対して進退させることで施錠又は解錠される周知の機構からなる。尚、電気錠３ｃは、制御部３ｄにより電気的に錠前の施錠や解錠が制御される構成であれば良く、その構造が特に限定されるものではない。
【００２６】
制御部３ｄは、例えばＣＰＵ（Central Processing Unit ）やＲＯＭ（Read Only Memory），ＲＡＭ（Random Access Memory）等のプロセッサで構成され、記憶部３ａ、通信部３ｂ、電気錠３ｃを統括制御している。さらに制御内容について説明すると、制御部３ｄは、携帯端末２に対して鍵データを要求するため、周期的に鍵データ要求指令を送信するように通信部３ｂを制御している。制御部３ｄは、移動端末２から取得した鍵データが正常か否かの認証を行っている。制御部３ｄは、移動端末２から取得した鍵データを正常認証したときに、電気錠３ｃを解錠又は施錠制御している。
【００２７】
尚、鍵データ要求指令には、採用される認証装置３と対応付けされる扉を示すＩＤが含まれる。また、履歴データの宛て先機器となる通知対象機器５が扉毎に登録される場合には、鍵データを認証する扉に応じて履歴データの送信先を変更することができる。
【００２８】
さらに、鍵データ要求指令には、ＩＤの他、時刻や署名などを含めることができる。そして、署名を鍵データ要求指令に含ませれば、通知対象機器５に送信される履歴データの改ざんを防止することができる。
【００２９】
メールサーバ４は、電子メールを配送するためのサーバコンピュータであり、認証装置３から移動端末２を介して送信される履歴データを受信し、この受信した履歴データを該当する宛て先の通知対象機器５にメール（例えば電子メール、ＳＭＳ（ショートメッセージサービス）など）を用いて送信している。
【００３０】
通知対象機器５は、例えば携帯電話、スマートフォンなどの通信機能や表示機能を有し、移動端末３からメールサーバ４を介して履歴データの通知を受けて表示する機器からなり、記憶部５ａ、通信部５ｂ、表示部５ｃ、制御部５ｄを含む構成である。
【００３１】
記憶部５ａは、例えばＥＥＰＲＯＭやフラッシュメモリ等の不揮発性メモリやＤＲＡＭやＳＤＲＡＭ等の揮発性メモリを含む各種半導体メモリ、ＨＤＤ等の各種記憶装置で構成される。記憶部５ａは、メールサーバ４からメール送信される履歴データなどを記憶している。
【００３２】
通信部５ｂは、制御部５ｄの制御により、通知対象機器５とメールサーバ４との間で無線通信による情報のやり取りを行っている。
【００３３】
表示部５ｃは、例えば液晶表示器などで構成される。表示部５ｃは、制御部５ｄの制御により、移動端末３からメールサーバ４を介してメール受信した履歴データを表示画面上に表示している。
【００３４】
制御部５ｄは、例えばＣＰＵ（Central Processing Unit ）やＲＯＭ（Read Only Memory），ＲＡＭ（Random Access Memory）等のプロセッサで構成され、記憶部５ａ、通信部５ｂ、表示部５ｃを統括制御している。さらに制御内容について説明すると、制御部５ｄは、移動端末２からメールサーバ４を介してメール送信される履歴データを受信するように通信部５ｂを制御している。制御部５ｄは、受信した履歴データを記憶部５ａに記憶させている。制御部５ｄは、移動端末２からメールサーバ４を介して受信したメールによる履歴データを表示するように表示部５ｃを制御している。
【００３５】
尚、本例では、移動端末２と同様に、例えば携帯電話、スマートフォンなどの通信機能を有する端末を通知対象機器５として説明しているが、移動端末２からの履歴データを電子メール形式で受信し、受信した履歴データを一覧表示できる機器（例えばパソコンなどの端末）であれば通知対象機器５として用いることができる。
【００３６】
次に、上記のように構成される履歴データ通知システム１により鍵データの認証処理を行い、この認証処理時の履歴データを通知対象機器５に送信して通知するまでの一連の動作について図２を参照しながら説明する。
【００３７】
尚、移動端末２には、認証用アプリケーションが予めインストールされて記憶部２ａに記憶されている。また、移動端末２には、事前に配信される鍵データが記憶部２ａに記憶されている。
【００３８】
認証装置３は、鍵データ要求指令（例えばＩＤ、時刻、署名など）を周期的に送信する（ＳＴ１）。認証装置３が鍵データ要求指令を送信している状態で、移動端末２を通信可能領域内で認証装置３にかざすと、移動端末２と認証装置３との間で近距離無線通信を開始する。
【００３９】
移動端末２は、認証装置３から鍵データ要求指令を受信すると、その応答として、記憶部２ａに記憶された鍵データを認証装置３に送信する（ＳＴ２）。
【００４０】
認証装置３は、移動端末２から鍵データを受信して取得すると、取得した鍵データの認証処理を行う。この鍵データの認証処理では、取得した鍵データと予め登録された登録済鍵データとを照合する。そして、両者のＩＤが一致すれば、取得した鍵データが正常なものであると認証する。これに対し、両者のＩＤが一致しなければ、取得した鍵データが異常なものであると認証する。
【００４１】
移動端末２は、上述した鍵データの送信に伴い、鍵データの認証処理における履歴データをメールサーバ４に送信する（ＳＴ３）。履歴データは、例えば鍵データの認証が行われた時刻、鍵データの認証結果、帰宅時刻や外出時刻、署名などである。
【００４２】
メールサーバ４は、移動端末２から受信した履歴データを、移動端末２で指定された通知対象機器５の宛て先にメール送信して通知する（ＳＴ４）。
【００４３】
通知対象機器５は、メールサーバ４からメールを用いて送信された履歴データを受信すると、この受信した履歴データを表示部５ｃに表示する。
【００４４】
そして、上述した履歴データ通信システム１は、子供が自宅に帰宅したことを保護者に通知する際に利用することができる。この場合、子供が所有する移動端末（スマートフォン）２に認証用アプリケーションを予めインストールするとともに、記憶部２ａに鍵データを記憶させておく。そして、子供が自宅のドアの認証装置３に移動端末２をかざすと、認証装置３が移動端末２から鍵データを取得する。そして、認証装置３が鍵データを正常認証すると、電気錠３ｃが解錠するので、子供はドアを開けて自宅に入ることができる。その際、鍵データ認証時の履歴データは、保護者が所有する通知対象機器（スマートフォン）５にメール送信される。これにより、保護者は、子供が自宅に帰宅したことを知ることができる。
【００４５】
このように、本例の履歴データ通知システム１では、認証装置３から鍵データ要求指令を受けた移動端末２が認証用アプリケーションを起動し、この認証アプリケーションにより、鍵データを認証装置３に送信するとともに、認証装置３の鍵データの認証処理における履歴データを、メールサーバ４を介して通知対象機器５にメール送信している。
【００４６】
これにより、従来のような鍵配信サーバの維持管理が不要となり、専用のアプリケーションを用いず、標準的なメール（電子メール、ＳＭＳなど）を用いて鍵データの認証時における履歴データを通知対象機器５に送信し、通知対象機器５の表示部５ｃに履歴データを表示させて閲覧することができ、簡易な構成によってシステムを構築することができる。
【００４７】
しかも、本例の履歴データ通知システム１によれば、認証装置３のネットワーク接続、プロバイダとの契約、配線工事や専用機器などが不要であり、通知対象機器５へのメール通知設定を利用者が移動端末２の認証用アプリケーションを起動させた状態で行うことができる。
【００４８】
以上、本発明に係る履歴データ通知システム１の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００４９】
１  履歴データ通知システム
２  移動端末
２ａ  記憶部
２ｂ  通信部
２ｃ  制御部
３  認証装置
３ａ  記憶部
３ｂ  通信部
３ｃ  電気錠
３ｄ  制御部
４  メールサーバ
５  通知対象機器
５ａ  記憶部
５ｂ  通信部
５ｃ  表示部
５ｄ  制御部
【図１】
2015149608.tif 000003
【図２】
2015149608.tif 000004